(57)【特許請求の範囲】
【請求項１】
ストレートな円筒面状の内周面を有するハウジング、及び、ハウジングの円筒面状内周面に固定されたスリーブ部を有し、軸方向両端を開口した軸受部材と、スリーブ部の内周に挿入した軸部材と、軸部材の外周に軸方向に離間して固定され、軸受部材の両端開口部にそれぞれ配された第１及び第２スラスト部材と、スリーブ部の一端面と第１スラスト部材の端面との間のスラスト軸受隙間の潤滑油を内径側に流動させることにより生じる動圧作用で前記軸部材をスラスト方向に支持する第１スラスト軸受部と、スリーブ部の他端面と第２スラスト部材の端面との間のスラスト軸受隙間の潤滑油を内径側に流動させることによりに生じる動圧作用で前記軸部材をスラスト方向に支持する第２スラスト軸受部と、スリーブ部の内周面と前記軸部材の外周面との間のラジアル軸受隙間に生じる潤滑油の動圧作用で前記軸部材をラジアル方向に支持するラジアル軸受部と、第１スラスト部材及び第２スラスト部材の外周面とハウジングの内周面との間にそれぞれ形成された第１シール空間及び第２シール空間とを備え、軸受部材の内部空間に潤滑油が満たされ、第１シール空間及び第２シール空間に油面が常に保持された動圧軸受装置において、
少なくとも第１および第２スラスト部材で挟まれた軸方向領域で、スリーブ部を焼結金属で形成すると共に、軸部材をマルテンサイト系ステンレス鋼で形成することにより、スリーブ部の軸方向の線膨張係数を、軸部材の軸方向の線膨張係数より大きくなるように設定したことを特徴とする動圧軸受装置。
【請求項２】
請求項１記載の動圧軸受装置と、ステータコイルと、ロータマグネットとを有するモータ。
【発明の詳細な説明】
【技術分野】
【０００１】
本発明は、動圧軸受装置に関するものである。
【背景技術】
【０００２】
動圧軸受装置は、軸受隙間に充填された潤滑流体（例えば潤滑油）に動圧作用を発生させ、この圧力で軸部材を支持する軸受装置である。この動圧軸受装置は、高速回転、高回転精度、低騒音等の特徴を備えるものであり、情報機器、例えばＨＤＤ等の磁気ディスク装置、ＣＤ−ＲＯＭ、ＣＤ−Ｒ／ＲＷ、ＤＶＤ−ＲＯＭ／ＲＡＭ等の光ディスク装置、ＭＤ、ＭＯ等の光磁気ディスク装置等におけるディスクドライブ用のスピンドルモータ、レーザビームプリンタ（ＬＢＰ）のポリゴンスキャナモータ、プロジェクタのカラーホイールモータ、あるいは軸流ファンなどの小型モータ用の軸受装置として好適である。
【０００３】
例えばＨＤＤ等においては、高容量化の要請に応えるべく磁気ディスクの搭載枚数が増加する傾向にあり、これに伴って動圧軸受装置においてもより高い軸受剛性が求められる傾向にある。特にスラスト軸受隙間の隙間幅の精度は、スラスト軸受部の動圧作用に大きな影響を与えるため、この隙間幅を精度良く設定するために、様々な努力がなされている。
【０００４】
例えば特許文献１では、軸受部材とハウジングの内底面との間に位置決め部材を介装することにより、スラスト板と軸受スリーブ及びハウジング内底面との間スラスト軸受隙間を精度良く設定している。
【特許文献１】特開２００２−０６１６３７号公報
【発明の開示】
【発明が解決しようとする課題】
【０００５】
しかし、スラスト軸受隙間を精度良く設定しても、動圧軸受装置の運転状況による温度変化によって、以下のような問題が生じる。例えば、特許文献１の動圧軸受装置において、スラスト板が耐摩耗性を考慮してステンレス鋼で形成され、位置決め部材は加工性を考慮して黄銅で形成される場合、ステンレス鋼と黄銅とでは黄銅の線膨張係数の方が大きいため、昇温時における軸方向の熱膨張量は、黄銅製の位置決め部材の方がステンレス鋼製のスラスト板よりも大きくなり、スラスト軸受隙間の隙間幅は拡大する。一般に動圧軸受装置では、高温時に流体（例えば潤滑油）の粘度が低下するため、特にスラスト方向での軸受剛性の低下が問題となるが、位置決め部材の線膨張係数がスラスト板よりも大きいと、高温時にスラスト軸受隙間の隙間幅が拡大するため、スラスト方向の軸受剛性がさらに低下する。一方、低温時には、潤滑油の粘度上昇によりモータトルクが増大するが、上記線膨張係数の差は、このトルクを増大させる方向に働く。このような構造では、スラスト板と位置決め部材との熱膨張量差が、高温時および低温時の何れでもそれぞれの不具合を助長する方向に作用する点が問題となっている。
【０００６】
本発明の課題は、高温時におけるスラスト軸受剛性の向上と、低温時におけるトルク低減とを図ることが可能な動圧軸受装置を提供することである。
【課題を解決するための手段】
【０００７】
前記課題を解決するため、本発明の動圧軸受装置は、ストレートな円筒面状の内周面を有するハウジング、及び、ハウジングの円筒面状内周面に固定されたスリーブ部を有し、軸方向両端を開口した軸受部材と、スリーブ部の内周に挿入した軸部材と、軸部材の外周に軸方向に離間して固定され、軸受部材の両端開口部にそれぞれ配された第１及び第２スラスト部材と、スリーブ部の一端面と第１スラスト部材の端面との間のスラスト軸受隙間の潤滑油を内径側に流動させることにより生じる動圧作用で前記軸部材をスラスト方向に支持する第１スラスト軸受部と、スリーブ部の他端面と第２スラスト部材の端面との間のスラスト軸受隙間の潤滑油を内径側に流動させることによりに生じる動圧作用で前記軸部材をスラスト方向に支持する第２スラスト軸受部と、スリーブ部の内周面と前記軸部材の外周面との間のラジアル軸受隙間に生じる潤滑油の動圧作用で前記軸部材をラジアル方向に支持するラジアル軸受部と、第１スラスト部材及び第２スラスト部材の外周面とハウジングの内周面との間にそれぞれ形成された第１シール空間及び第２シール空間とを備え、軸受部材の内部空間に潤滑油が満たされ、第１シール空間及び第２シール空間に油面が常に保持された動圧軸受装置において、少なくとも第１および第２スラスト部材で挟まれた軸方向領域で、スリーブ部を焼結金属で形成すると共に、軸部材をマルテンサイト系ステンレス鋼で形成することにより、スリーブ部の軸方向の線膨張係数を、軸部材の軸方向の線膨張係数より大きくなるように設定した。
【０００８】
このように本発明では、少なくとも第１および第２スラスト部材で挟まれた軸方向領域で、スリーブ部の軸方向の線膨張係数を、軸部材の軸方向の線膨張係数と同じか、もしくはそれよりも大きく設定した。スリーブ部と軸部材の軸方向の線膨張係数が同じ場合、温度が変化してもスラスト軸受隙間は変動せず、安定した軸受剛性が得られる。また、スリーブ部の軸方向の線膨張係数を、軸部材の軸方向の線膨張係数よりも大きく設定した場合、高温時には、スリーブ部の軸方向熱膨張量が軸部材の軸方向熱膨張量を上回ることにより、スラスト軸受隙間の隙間幅が小さくなる。よって、高温時におけるスラスト方向の軸受剛性の低下を抑制することが可能となる。反対に低温時には、スリーブ部の軸方向熱収縮量が軸部材の軸方向熱収縮量を上回ることにより、スラスト軸受隙間の隙間幅が大きくなる。よって、低温時におけるモータトルクの上昇を抑制することが可能となる。
【０００９】
上記の動圧軸受装置において、第１及び第２スラスト部材の何れか一方、あるいは両方の外周面でシール空間を形成すると、軸受内部に充填された潤滑流体の漏れ出しを防ぐことができる。
【００１０】
上記の動圧軸受装置と、ステータコイルと、ロータマグネットとからなるモータは、高温時における高い軸受剛性と、低温時における低トルク性を有する。
【発明の効果】
【００１１】
以上のように、本発明によれば、高温時におけるスラスト軸受剛性の向上と、低温時におけるトルク低減とを図ることが可能な動圧軸受装置を提供することができる。
【発明を実施するための最良の形態】
【００１２】
以下、本発明の実施形態を図面に基づいて説明する。
【００１３】
図１は、本発明の第１の実施形態を示す動圧軸受装置（流体動圧軸受装置）１を組込んだ情報機器用スピンドルモータの一構成例を概念的に示している。この情報機器用スピンドルモータは、ＨＤＤ等のディスク駆動装置に用いられるもので、動圧軸受装置１と、動圧軸受装置１の軸部材２に取り付けられたロータ（ディスクハブ）３と、例えば半径方向のギャップを介して対向させたステータコイル４ａおよびロータマグネット４ｂと、ブラケット５とを備えている。ステータコイル４ａはブラケット５の外周に取り付けられ、ロータマグネット４ｂは、ディスクハブ３の内周に取り付けられている。ディスクハブ３は、その外周に磁気ディスク等のディスクＤを一枚または複数枚保持する。ステータコイル４ａに通電すると、ステータコイル４ａとロータマグネット４ｂとの間に発生する電磁力でロータマグネット４ｂが回転し、それに伴ってディスクハブ３、および軸部材２が一体となって回転する。
【００１４】
図２は、上記スピンドルモータで使用される動圧軸受装置１を示す断面図である。この動圧軸受装置１は、軸部材２と、軸受部材６と、軸部材２の外周面に軸方向に離間して固定された第１スラスト部材９及び第２スラスト部材１０とを主要構成部品として構成される。本実施形態では、軸受部材６はハウジング７とスリーブ部８とで別体に構成されている場合を例示する。なお、以下では、説明の便宜上、ハウジング７の開口部から軸部材２の端部が突出している側を上側、その軸方向反対側を下側として説明を進める。
【００１５】
スリーブ部８の内周面８ａと軸部材２の外周面２ａとの間に第１ラジアル軸受部Ｒ１と第２ラジアル軸受部Ｒ２とが軸方向に離隔して設けられる。また、スリーブ部８の上側端面８ｂと第１スラスト部材９の下側端面９ｂとの間に第１スラスト軸受部Ｔ１が設けられ、スリーブ部８の下側端面８ｃと第２スラスト部材１０の上側端面１０ｂとの間に第２スラスト軸受部Ｔ２が設けられる。
【００１６】
軸部材２は、ステンレス鋼等の金属材料で形成される。軸部材２は全体として概ね同径の軸状をなし、その中間部分には、他所よりも僅かに小径に形成した逃げ部２ｂが形成されている。軸部材２の外周面２ａのうち、第１および第２スラスト部材９、１０の固定位置には、凹部、例えば円周溝２ｃが形成されている。なお、軸部材２は、ステンレス鋼等の金属材料に限らず、金属と樹脂のハイブリッド構造として形成することもできる。
【００１７】
ハウジング７は、例えば、樹脂材料を射出成形して円筒状に形成され、その内周面７ａは、同径でストレートな円筒面となっている。図１に示すブラケット５の内周面にハウジング７の外周面が圧入、接着、圧入接着等の手段で固定される。
【００１８】
ハウジング７を形成する樹脂は主に熱可塑性樹脂であり、例えば、非晶性樹脂として、ポリサルフォン（ＰＳＦ）、ポリエーテルサルフォン（ＰＥＳ）、ポリフェニルサルフォン（ＰＰＳＦ）、ポリエーテルイミド（ＰＥＩ）等、結晶性樹脂として、液晶ポリマー（ＬＣＰ）、ポリエーテルエーテルケトン（ＰＥＥＫ）、ポリブチレンテレフタレート（ＰＢＴ）、ポリフェニレンサルファイド（ＰＰＳ）等を用いることができる。また、上記の樹脂に充填する充填材の種類も特に限定されないが、例えば、充填材として、ガラス繊維等の繊維状充填材、チタン酸カリウム等のウィスカー状充填材、マイカ等の鱗片状充填材、カーボンファイバー、カーボンブラック、黒鉛、カーボンナノマテリアル、金属粉末等の繊維状又は粉末状の導電性充填材を用いることができる。これらの充填材は、単独で用い、あるいは、二種以上を混合して使用しても良い。この実施形態では、ハウジング７を形成する材料として、結晶性樹脂としての液晶ポリマー（ＬＣＰ）に、導電性充填材としてのカーボンファイバー又はカーボンナノチューブを２〜８ｗｔ％配合した樹脂材料を用いている。
【００１９】
この他、黄銅やアルミニウム合金等の軟質金属材料、その他の金属材料でハウジング７を形成することもできる。
【００２０】
スリーブ部８は、例えば、焼結金属からなる多孔質体、特に銅を主成分とする焼結金属の多孔質体で円筒状に形成され、ハウジング７の内周面７ａの所定位置に圧入、接着、あるいは圧入接着等の手段で固定される。なお、スリーブ部８は、焼結金属以外にも銅合金等の金属材料あるいは樹脂で形成することもできる。
【００２１】
スリーブ部８の内周面８ａには、第１ラジアル軸受部Ｒ１と第２ラジアル軸受部Ｒ２のラジアル軸受面となる上下２つの領域が軸方向に離隔して設けられ、この２つの領域には、例えば図３（ａ）に示すようなヘリングボーン形状の動圧溝８ａ１、８ａ２がそれぞれ形成される。また、スリーブ部８の上側端面８ｂ及び下側端面８ｃには、第１及び第２スラスト軸受部Ｔ１、Ｔ２のスラスト軸受面となる領域が設けられ、この領域には、例えば図３（ｂ）及び図３（ｃ）に示すようなスパイラル状の動圧溝８ｂ１、８ｃ１が形成される。
【００２２】
第１スラスト部材９および第２スラスト部材１０は、何れも真ちゅう（黄銅）等の軟質金属材料やその他の金属材料、あるいは、樹脂材料で同形状のリング状に形成され、軸部材２の外周面２ａの所定位置に、例えば接着剤で固定される。接着剤としては、熱硬化性接着剤を使用することができ、この場合、軸部材２に対する第１及び第２スラスト部材９、１０の位置決めを行った後、軸部材２を加熱処理（ベーキング）することで、第１及び第２スラスト部材９、１０を確実に軸部材２に固定することができる。このとき、軸部材２に塗布した接着剤が、接着剤溜まりとしての円周溝２ｃに充填されて固化することにより、第１及び第２スラスト部材９、１０の軸部材２に対する接着強度が向上する。
【００２３】
第１スラスト部材９の外周面９ａは、ハウジング７の上端開口部の内周面７ａとの間に所定の容積をもった第１シール空間Ｓ１を形成し、第２スラスト部材１０の外周面１０ａは、ハウジング７の下端開口部の内周面７ａとの間に所定の容積をもった第２シール空間Ｓ２を形成する。この実施形態において、第１スラスト部材９の外周面９ａおよび第２スラスト部材１０の外周面１０ａは、それぞれハウジングの開口側に向かって漸次縮径したテーパ面状に形成される。そのため、両シール空間Ｓ１、Ｓ２は、互いに接近する方向に漸次縮小したテーパ形状を呈する。軸部材２の回転時、両シール空間Ｓ１、Ｓ２内の潤滑流体（例えば潤滑油）は毛細管力による引き込み作用と、回転時の遠心力による引き込み作用とにより、シール空間が狭くなる方向に向けて引き込まれる。これにより、ハウジング７の内部からの潤滑油の漏れ出しが効果的に防止される。ハウジング７の上側端面７ｂと下側端面７ｃ、第１スラスト部材９の上側端面９ｃ、および第２スラスト部材１０の下側端面１０ｃにそれぞれ撥油剤の被膜を形成すると、より確実に油漏れが防止される。
【００２４】
第１および第２シール空間Ｓ１、Ｓ２は、ハウジング７の内部空間に充満された潤滑油の温度変化に伴う容積変化量を吸収するバッファ機能を有する。想定される温度変化の範囲内では、油面は常時両シール空間Ｓ１、Ｓ２内にある。これを実現するために、両シール空間Ｓ１、Ｓ２の容積の総和は、少なくとも内部空間に充満された潤滑油の温度変化に伴う容積変化量よりも大きく設定される。
【００２５】
このように、ハウジング７の両端に第１及び第２スラスト部材９、１０を配置すると、スラスト部材が一端のみに配置されている場合に比べ、シール空間の総和が大きい分、潤滑油のバッファ機能を高めることができる。よって、第１及び第２スラスト部材９、１０の軸方向寸法を縮小することができるため、軸受全体の軸方向寸法を縮小することが可能となる。あるいは、軸受全体の軸方向寸法は変えずに、スリーブ部の軸方向寸法をスラスト部材の軸方向寸法縮小分だけ拡大し、第１、第２ラジアル軸受部Ｒ１、Ｒ２の軸方向間隔を増すと、モーメント荷重に対する負荷能力を高めることができる。
【００２６】
上記のようにして、軸部材２にスリーブ部８を挟んで第１及び第２スラスト部材９，１０を固定した後、この組み付け体をハウジング７の内周面７ａに挿入し、スリーブ部８の外周面をハウジング７の内周面７ａに固定する。スリーブ部８のハウジング７に対する固定は、接着、圧入、圧入接着、溶着（超音波溶着）等の適宜の手段によって行うことができる。このようにして組立が完了すると、第１及び第２スラスト部材９、１０で密閉されたハウジング７の内部空間に、スリーブ部８の内部気孔も含め、潤滑流体として例えば潤滑油を充満させる。
【００２７】
潤滑油の注油は、例えば未注油状態の動圧軸受装置を真空槽内で潤滑油中に浸漬した後、大気圧に開放することにより行われる。このとき、図２に示すように、ハウジング７の両端が開放されているので、ハウジングの一端を閉じた場合に比べ、内部空間のエアを確実に潤滑油で置換することができ、残存エアによる弊害、例えば高温時の油漏れ等を確実に回避することができる。また、このような減圧を利用した注油方法だけでなく、常圧下での注油（例えば潤滑油の加圧注油）も可能となり、注油装置および工程を簡略化して製造コストの低廉化を図ることができる。
【００２８】
軸部材２の回転時には、スリーブ部８の内周面８ａのラジアル軸受面となる領域（上下２箇所の領域）は、それぞれ軸部材２の外周面２ａとラジアル軸受隙間を介して対向する。また、スリーブ部８の上側端面８ｂのスラスト軸受面となる領域が第１スラスト部材９の下側端面９ｂと所定のスラスト軸受隙間を介して対向し、スリーブ部８の下側端面８ｃのスラスト軸受面となる領域は、第２スラスト部材１０の上側端面１０ｂと所定のスラスト軸受隙間を介して対向する。そして、軸部材の回転に伴い、上記ラジアル軸受隙間に潤滑油の動圧が発生し、軸部材２がラジアル軸受隙間内に形成される潤滑油の油膜によってラジアル方向に回転自在に非接触支持される。これにより、軸部材２をラジアル方向に回転自在に非接触支持する第１ラジアル軸受部Ｒ１と第２ラジアル軸受部Ｒ２とが構成される。同時に、上記スラスト軸受隙間に潤滑油の動圧が発生し、軸部材２および第１及び第２スラスト部材９、１０が上記スラスト軸受隙間内に形成される潤滑油の油膜によってスラスト方向に回転自在に非接触支持される。これにより、軸部材２をスラスト方向に回転自在に非接触支持する第１スラスト軸受部Ｔ１と第２スラスト軸受部Ｔ２とが構成される。
【００２９】
また、以上の説明では、第１および第２のラジアル軸受部Ｒ１、Ｒ２および第１および第２のスラスト軸受部Ｔ１、Ｔ２の動圧発生部として、ヘリングボーン形状やスパイラル形状の動圧溝により潤滑流体の動圧作用を発生させる構成を例示しているが、第１および第２のラジアル軸受部Ｒ１、Ｒ２の動圧発生部として、いわゆるステップ軸受や多円弧軸受を採用することもでき、第１および第２のスラスト軸受部Ｔ１、Ｔ２の動圧発生部として、動圧溝を放射状に配置したいわゆるステップ軸受や、いわゆる波型軸受（ステップ型が波型になったもの）等で構成することもできる。
【００３０】
本発明では、スリーブ部８の軸方向の線膨張係数を、軸部材２の軸方向の線膨張係数以上に設定した。本実施形態において、スリーブ部８は銅を主成分とする焼結金属で形成され、軸部材２はステンレス鋼等の金属材料で形成されている。焼結金属は、金属の種類と配合量を調整すれば、任意の線膨張係数が得られるので、スリーブ部８を形成する焼結金属の成分の配合割合を調整し、上記条件を満たす組成とすればよい。例えば、スリーブ部８を形成する焼結金属の組成を、銅：５７．７％、鉄：４０％、錫：１．５０％、炭素：０．８０％とし、軸部材２をマルテンサイト系ステンレス鋼製とすると、スリーブ部８の軸方向の線膨張係数が軸部材２のそれを上回り、上記条件を満たす。
【００３１】
スリーブ部８及び軸部材２の材料の選択肢は上記に限らない。例えば、スリーブ部８は銅合金等の金属材料あるいは樹脂で形成することができ、軸部材２は金属と樹脂のハイブリッド構造に形成することができる。
【００３２】
軸部材２が、金属と樹脂のハイブリッド構造に形成されている場合は、軸部材２の構造や、金属と樹脂それぞれの材質、金属と樹脂との固着力などの様々な要因によって線膨張係数は変動する。このような場合には、少なくとも第１および第２スラスト部材で挟まれた軸方向領域Ｌ（図２参照）において、スリーブ部８の軸方向の線膨張係数が、軸部材のスリーブ部の内径側にある部分の軸方向の線膨張係数以上となる範囲内で、材質や構造などを決めればよい。
【００３３】
このようにして、スリーブ部８の軸方向の線膨張係数を、軸部材２の軸方向の線膨張係数より大きく設定すると、高温時には、スリーブ部８の軸方向の熱膨張量が軸部材２の軸方向の熱膨張量よりも大きくなるため、スラスト軸受隙間の隙間幅が小さくなる。従って、潤滑油の粘度低下によるスラスト方向の軸受剛性の低下を抑制することができる。反対に低温時には、軸方向の熱膨張量差によってスラスト軸受隙間の隙間幅が大きくなるので、低温時におけるモータトルクの上昇を抑制することができる。
【００３４】
スリーブ部８の線膨張係数と軸部材２の線膨張係数とが等しいとき、例えば両部材が同種金属で形成されているときは、温度が変化しても両部材の同じ軸方向距離における熱膨張量は常に等しいため、スラスト軸受隙間は変動しない。よって、組立時にスラスト軸受隙間を精度良く設定しておけば、環境温度が変化しても常に高い軸受剛性が得られる。
【００３５】
スリーブ部８と軸部材２の素材は上記条件を満たす範囲で選定できるが、両部材間の線膨張係数の差が余りに大きいと、スラスト軸受隙間幅が過小になる等の不具合が生じる恐れがある。例えば、スリーブ部８を樹脂材料で形成し、軸部材２を金属材料で形成する場合、一般的に樹脂材料の線膨張係数は金属材料のそれと比して大幅に大きいため、上記問題が発生する恐れが高まる。よって、環境温度により各部材の軸方向寸法が変動しても、各スラスト軸受隙間の隙間幅が不具合を起こさない範囲内、具体的には常温でスラスト軸受隙間の隙間幅が１１〜２５μｍの範囲内に収まるように、スリーブ部８及び軸部材２の材質を選定すればよい。
【００３６】
図４は、参考例を示す動圧軸受装置１１の断面図である。この実施形態の動圧軸受装置１１が動圧軸受装置１と異なる点は、ハウジング７およびスリーブ部８を一体化し、軸受部材６を単一部品とすることで、部品点数および組立工数の削減を通じて更なる低コスト化を図った点にある。この軸受部材６は、軸方向の線膨張係数が軸部材２のそれより大きくなるように材料が選択され、鍛造や機械加工、あるいは射出成形、さらにはＭＩＭ成形などにより形成することができる。
【００３７】
この場合、軸受部材６のうち、スリーブ部８の内周面８ａと軸部材２の外周面２ａとの間にラジアル軸受隙間が形成され、スリーブ部８の上側端面８ｂと第１スラスト部材９の下側端面９ｂとの間、およびスリーブ部８の下側端面８ｃと第２スラスト部材１０の上側端面１０ｂとの間にそれぞれスラスト軸受隙間が形成される。また、軸受部材６の両端開口部（ハウジングに相当する部分７の両端開口部）の内周面７ａと第１及び第２スラスト部材９、１０の外周面との間にそれぞれシール空間Ｓ１、Ｓ２が形成される。
【図面の簡単な説明】
【００３８】
【図１】本発明の第１の実施形態を示す動圧軸受装置１を組み込んだモータの一例を示す断面図である。
【図２】動圧軸受装置１の断面図である。
【図３】（ａ）は、スリーブ部８の断面図、（ｂ）は、（ａ）図中のｂ矢印方向から見た平面図、（ｃ）は、（ａ）図中のｃ矢印方向から見た平面図である。
【図４】参考例を示す動圧軸受装置１１の断面図である。
【符号の説明】
【００３９】
１     動圧軸受装置
２     軸部材
３     ディスクハブ
４ａ   ステータコイル
４ｂ   ロータマグネット
５     ブラケット
６     軸受部材
７     ハウジング
８     スリーブ部
９     第１スラスト部材
１０   第２スラスト部材
Ｌ     軸方向領域
Ｒ１、Ｒ２    ラジアル軸受部
Ｔ１、Ｔ２    スラスト軸受部
Ｓ１、Ｓ２    シール空間
【図１】
0004828908.tif 000002
【図２】
0004828908.tif 000003
【図３】
0004828908.tif 000004
【図４】
0004828908.tif 000005